(57)【要約】【課題】バイクのサイドスタンドの接地状態が解除されたときに、これを検知して二輪車近傍に配設されているデジタルカメラ装置を作動させて、当該盗難状態を自動的に撮像し、この撮像した画像を、インターネット等の通信手段を介して直ちに所有者等へと自動的に送信して告知することができる二輪車の監視システムを提供する。【解決手段】二輪車のサイドスタンドに設けられた送信装置と、この送信装置からの信号で作動するデジタルカメラ装置と、この撮像された映像をインターネットを介して送信する手段と、この送信された画像データを受信する受信装置とを、具備し、サイドスタンドの着地状態が解除されたときに撮像指令をデジタルカメラ装置へと自動送信可能に構成した。【選択図】      図１
2004149053.tif 000002
【特許請求の範囲】
【請求項１】
二輪車のサイドスタンドに設けられた送信装置と、この送信装置からの信号により撮像作動するデジタルカメラ装置と、このデジタルカメラ装置で撮像された映像をインターネットや一般公衆回線或は専用回線等の通信回線を介して送信する手段と、この送信された画像データを受信する受信装置とを、具備し、上記送信装置は、二輪車のサイドスタンドの接地状態が解除されたときに撮像指令を上記デジタルカメラ装置へと自動送信可能に構成されていると共に、該デジタルカメラ装置は、上記撮像指令に基づいて撮像した画像を自動的に携帯電話或は家庭や警備会社等に設置されたコンピュータ等からなる上記受信装置へと送信可能に構成されていることを特徴とする二輪車の監視システム。
【請求項２】
前記送信装置は、前記サイドスタンドの他に、車輪ロック手段及び／又は二輪車用シートカバーのロック手段にも配設されていることを特徴とする請求項１に記載の二輪車の監視システム。
【請求項３】
前記送信装置は、前記インターネット上に設けられたサーバーに前記圧縮撮像信号を送信し、前記サーバーは、前記圧縮撮像信号を受信したとき、前記受信装置にその旨を自動的に送信するように構成されていることを特徴とする請求項１または請求項２のいずれかに記載の二輪車の監視システム。
【請求項４】
前記デジタルカメラ装置は、駐輪場近傍の建物や柱、樹木等の土地定着物に配置され、前記送信装置からの撮像指令信号を受信すると、前記二輪車に向けてフラッシュ光を発光可能であることを特徴とする請求項１乃至請求項３のいずれかに記載の二輪車の監視システム。
【請求項５】
前記デジタルカメラ装置は、前記受信装置側の操作によりズームイン・ズームアウト・左右上下方向にリモート操作可能であることを特徴とする請求項４に記載の二輪車の監視システム。
【請求項６】
前記デジタルカメラ装置は、友人の二輪車或は自動車にセッティング可能に構成されていることを特徴とする請求項１乃至請求項５のいずれかに記載の二輪車の監視システム。
【請求項７】
前記デジタルカメラ装置は、撮像された画像を一般公衆回線等の通信回線で伝送可能な圧縮撮像信号に変換する変換手段と、該圧縮撮像信号を前記通信回線を介して送信する移動通信手段とを、有して構成されていることを特徴とする請求項１乃至請求項６のいずれかに記載の二輪車の監視システム。
【発明の詳細な説明】
【０００１】
【発明の属する技術分野】
この発明は、特に、高級大型バイク等の二輪車の盗難を、二輪車から離れた位置から迅速に感知して、これを警察や警備会社等に通報することができると共に、この盗難状態を鮮明に撮像して証拠として残すこともできる二輪車の監視システムに関する。
【０００２】
【従来の技術】
近年、大型高級バイクの盗難事故が多く発生している。極めて趣向性が高いこの種のバイクは、所有者にとっては所謂手塩に掛けて飾り立て、或は、チューンアップすることが多いため、これが盗まれた場合には、慙愧に耐えないというのが本音である。
【０００３】
しかしながら、バイクは、自動車とは異なり、ドア等がないため、開錠してサイドスタンドを上げてしまえば、これを押しながら現場から逃走することが容易であるため、施錠を多くする等の対策しか講じられないのが現状である。
【０００４】
このような課題を解決するため、最近では、撮像手段によって撮像された輸送車両の状況がリアルタイムに受信装置に伝送され、受信装置では、映像によって輸送車両の状況を把握することができる技術が開発されている（例えば、特許文献１）。
【０００５】
【特許文献１】
特開２００２−１２３８９３号公報
【０００６】
この従来の技術によれば、例えば、事故が生じたような場合にも、その事故の状況を音声のみでの連絡よりも遙かに多い情報量によって受信装置側でリアルタイムに認識することができ、しかも、送信装置からの映像の伝送には、業務用無線や専用回線ではなく、一般公衆回線と移動通信機とを使用しているので、それ以外には、撮像手段と変換手段とを設けるだけでよく、送信装置の構築が比較的容易に行える、という効果がえられるものである。
【０００７】
【発明が解決しようとする課題】
しかしながら、上記従来の技術は、車両の輸送中の状態をリアルタイムで監視する技術であるため、常に送信装置からリアルタイム画像を伝送し続けなければならないシステムであるため、この技術を、夜間やバイクから離れる場合等に監視が必要なバイク等の盗難防止システムとして用いる場合には、データ量が非常に大きく、また、設備コストに対する初期投資も大きい、という問題を有していると共に、バイクの場合には、押して現場から容易に離れることができるため、必要なときにいかに迅速に盗難の状態を所有者や契約警備会社或は警察に通報することができるか、がバイクの盗難防止システムにおいては非常に重要となる。
【０００８】
この発明は、かかる現状に鑑み創案されたものであって、その目的とするところは、バイク等の二輪車を走行させる際には、必ずサイドスタンドを上げる点に着目し、サイドスタンドの着地状態が解除されたときに、これを検知して二輪車近傍に配設されているデジタルカメラ装置を作動させて、当該盗難状態を自動的に撮像し、この撮像した画像を、インターネット等の通信手段を介して直ちに所有者等へと自動的に送信して告知せしめることで、所有者等が、契約警備会社や警察等への通報等の必要な処理を迅速に講じることが可能となる二輪車の監視システムを提供しようとするものである。
【０００９】
【課題を解決するための手段】
上記目的を達成するため、請求項１に記載の二輪車の監視システムにあっては、二輪車のサイドスタンドに設けられた送信装置と、この送信装置からの信号により撮像作動するデジタルカメラ装置と、このデジタルカメラ装置で撮像された映像をインターネットや一般公衆回線或は専用回線等の通信回線を介して送信する手段と、この送信された画像データを受信する受信装置とを、具備し、上記送信装置は、二輪車のサイドスタンドの着地状態が解除されたときに撮像指令を上記デジタルカメラ装置へと自動送信可能に構成されていると共に、該デジタルカメラ装置は、上記撮像指令に基づいて撮像した画像を自動的に携帯電話或は家庭や警備会社等に設置されたコンピュータ等からなる上記受信装置へと送信可能に構成されていることを特徴とするものである。
【００１０】
この監視システムによれば、盗難防止システムを作動させた後に、二輪車のサイドスタンドの着地状態が解除されると、この解除信号が直ちにビデオカメラ装置へと送信され、該解除信号を受信したビデオカメラ装置は、当該二輪車回りに予め焦点設定されているため、鮮明に盗難状態をリアルタイムでモニタリングすることができ、しかも、この盗難状態が撮像された画像は、インターネット等の通信手段で自動的に二輪車所有者や契約警備会社・警察等に任意或は手動で送信されるため、リアルタイムの監視を行うことができ、しかも、二輪車から遠く離れている場合であって、画像により状況を容易かつ迅速に把握することができ、自車を自分で守ることができる。
【００１１】
尚、この発明に係る二輪車の監視システムにあっては、上記送信装置を、前記サイドスタンドの他に、請求項２に記載したように、チェーンロック式錠等の車輪ロック手段や二輪車用シートカバーのロック手段にも配設して構成することもできる。このように、二輪車を不正に運ぶ場合に必ず実行される、サイドスタンドの接地状態の解除、上記車輪ロック手段または／およびシートカバーのロック手段の不正開錠行為が実行されたときに、前記手順でデジタルカメラ装置を作動させて、より確実に二輪車回りの状況を画像で確認することができる。
【００１２】
また、この発明に係る監視システムの送信装置にあっては、請求項３に記載したように、上記インターネット上に設けられたサーバーに前記圧縮撮像信号を送信し、前記サーバーは、前記圧縮撮像信号を受信したとき、前記受信装置にその旨を自動的に送信するように構成することで、二輪車が動かされたときにのみ、その状況をリアルタイムで所有者等へと通報することができる。
【００１３】
この発明において、前記デジタルカメラ装置は、請求項４に記載したように、駐輪場近傍の建物や柱、樹木等の土地定着物に配置され、前記送信装置からの撮像指令信号を受信すると、前記二輪車に向けてフラッシュ光を発光するように構成することで、フラッシュ光による威嚇と、画像を鮮明にとることができる、という効果が得られる。
【００１４】
また、この発明に用いられる前記デジタルカメラ装置は、請求項５に記載したように、前記受信装置側の操作によりズームイン・ズームアウト・左右上下方向にリモート操作可能に構成することで、二輪車回りをより鮮明に撮像し監視することができる。
【００１５】
さらに、この発明にあっては、請求項６に記載したように、前記デジタルカメラ装置を、友人の二輪車或は自動車にセッティング可能に構成することで、例えば、旅行中であっても相互に監視することができる。
【００１６】
そしてまた、この発明に用いられる前記デジタルカメラ装置は、請求項７に記載したように、撮像された画像を一般公衆回線等の通信回線で伝送可能な圧縮撮像信号に変換する変換手段と、該圧縮撮像信号を、前記通信回線を介して送信する移動通信手段とを、有して構成されていることを特徴とするものである。
【００１７】
【発明の実施の形態】
以下、添付図面に示す発明の実施の一形態例に基づき、この発明を詳細に説明する。
【００１８】
図１乃至図３に示すように、この形態例に係る二輪車の監視システムは、大型バイクＢのサイドスタンド１に設けられた送信装置２と、この送信装置２からの信号により撮像作動するデジタルカメラ装置３と、このデジタルカメラ装置３で撮像された映像をインターネットや一般公衆回線或は専用回線等の通信回線４を介して送信する手段（図示せず）と、この送信された画像データを受信するサーバ５と、このサーバ５に記憶された撮像画像を携帯電話等の移動通信機６または／および所有者宅のパーソナルコンピュータ７或いは契約警備会社・警察等へと異常を通報するように構成されている。
【００１９】
そして、上記送信装置２は、例えば、公知の構成からなる圧力センサー等を用い、バイクＢのサイドスタンド１の着地状態が解除されたときに撮像指令を発して上記デジタルカメラ装置へと自動送信可能に構成されている。
【００２０】
また、上記デジタルカメラ装置３は、撮像された画像をデジタル保存し、デジタル撮像画像は、デジタルカメラ装置３に配備された変換手段、例えば画像圧縮回路に供給され、ここでデジタル圧縮撮像信号に変換される。このデジタル圧縮撮像信号は、これもデジタルカメラ装置の通信回路によって伝送可能なものを使用する。
【００２１】
このデジタル圧縮撮像信号は、インターネット等の通信手段４を介してサーバ５へと送信され、該サーバ５では、この送信されたデジタル圧縮撮像信号を記憶保存し、かつ、該記憶保存されたデジタル圧縮撮像信号を、例えば携帯電話またはＰＨＳ電話のような移動通信機６にインターフェース回路（図示せず）を介して供給される。
【００２２】
このインターネット上のサーバ５に、上記受信装置７が通信回線４を介して接続されている。従って、上記パーソナルコンピュータは、インターネット上のサーバ５にアクセスし、送信装置２から送信されてサーバ５に蓄積されているデジタル圧縮撮像信号を転送する。
【００２３】
尚、パーソナルコンピュータは、特に図示はしていないが、デジタル圧縮撮像信号を元のデジタル撮像信号に再変換するための再変換手段、例えば再変換ボードまたはソフトウエアを有している。このボードまたはソフトウエアによってデジタル撮像信号に再変換される。このデジタル撮像信号に基づいて、パーソナルコンピュータ７が備える表示手段、例えばモニター上に、バイクＢの駐輪場回りの状況が映し出される。また、この発明にあっては、前記デジタルカメラ装置３を、友人のバイク或は自動車にセッティング可能に構成することで、例えば、旅行中であっても相互に監視することができるように構成してもよい。
【００２４】
また、上記デジタルカメラ装置３は、例えば、バイク駐輪場近傍の建物や柱、樹木等の土地定着物に配置するのが望ましい。この場合、送信装置２からの撮像指令信号をデジタルカメラ装置３が受信すると、前記バイクＢに向けてフラッシュ光を自動的に発光するように構成するのが望ましく、これにより、フラッシュ光による威嚇と、鮮明な画像をとることが可能となる。勿論、このデジタルカメラ装置３は、前記受信装置７側の操作によりズームイン・ズームアウト・左右上下方向にリモート操作可能に構成するのが望ましく、これによりバイク回りや盗人の顔をより鮮明に撮像し監視することができる。
【００２５】
尚、この発明にあっては、上記送信装置２を、前記サイドスタンド１の他に、特に図示はしないが、公知の送信手段が配設可能なチェーン錠等の車輪ロック手段やバイク用シートカバーのロック手段にも配設して構成することもできる。これは、バイクを不正に運ぶ場合に必ず実行される、サイドスタンド１の接地状態が解除され、車輪ロック手段または／およびシートカバーのロック手段の不正開錠行為が実行されたときに、前記手順でデジタルカメラ装置３を作動させて、より確実にバイクＢ回りの状況を画像で確認することができる。
【００２６】
【発明の効果】
この発明に係る二輪車の監視システムは、バイク等の二輪車のサイドスタンドの着地状態が解除されたときに、これを検知して二輪車近傍に配設されているデジタルカメラ装置を作動させて、当該盗難状態を自動的に撮像し、この撮像した画像を、インターネット等の通信手段を介して直ちに所有者等へと自動的に送信して告知せしめることで、所有者等が、契約警備会社や警察等への通報等の必要な処理を迅速に講じることができる等、幾多の優れた効果が得られる。
【図面の簡単な説明】
【図１】この発明の実施の一形態例に係るバイクの監視システムが適用されたバイクの斜視図である。
【図２】同監視システムのネットワークの概略的な構成を示す説明図である。
【図３】同監視システムの装置の配置例を示す説明図である。
【符号の説明】
Ｂ  バイク（二輪車）
１  サイドスタンド
２  送信装置
３  デジタルカメラ装置
４  通信手段
５  サーバ
６  携帯電話（受信装置）
７  パーソナルコンピュータ（受信装置）
【図１】
2004149053.tif 000003
【図２】
2004149053.tif 000004
【図３】
2004149053.tif 000005